(57)【特許請求の範囲】
【請求項１】
外部装置から入力された入力画像をスクリーンに投影表示する投影手段と、
前記入力画像に重畳して表示させる重畳画像を生成する重畳画像描画手段と、
前記重畳画像の種類を変更するための動作モード変更操作エリアと前記重畳画像の表示位置を携帯端末から制御するための投影表示領域に対応するスクリーンエリアとを含むブラウザ画面を記憶するブラウザ記憶手段と、
前記ブラウザ記憶手段に記憶された前記ブラウザ画面を前記携帯端末に送信する送信手段と、
前記携帯端末に表示された前記ブラウザ画面の前記動作モード変更操作エリアへの操作によって得られた動作モード情報と前記スクリーンエリアへの操作によって得られた重畳画像の表示位置情報とを受信する受信手段と、
前記受信手段により前記携帯端末から受信した前記動作モード情報と前記表示位置情報とに基づいて、前記重畳画像描画手段によって生成された重畳画像を前記入力画像に重畳して前記入力画像と前記重畳画像とを含む投影画像を生成し、前記投影画像を投影表示させる制御手段と、
を備え、
前記制御手段は、
前記受信手段により前記携帯端末から受信した前記動作モード情報を判定し、前記動作モード情報がポインタモードである場合は、受信した前記表示位置情報に基づきポインタアイコンを前記入力画像に重畳して前記入力画像と前記重畳画像とを含む第１投影画像を生成し、前記第１投影画像を投影表示させ、かつ前記動作モード情報がスポットモードである場合は、受信した前記表示位置情報から決定された位置を中心とする予め定められた矩形スポットエリアを含むマスク画像を前記入力画像に重畳して前記入力画像と前記マスク画像とを含む第２投影画像を生成し、前記第２投影画像を投影表示させることを特徴とする画像表示装置。
【請求項２】
前記送信手段、および、前記受信手段は、前記携帯端末と無線によって通信を行う無線通信手段であることを特徴とする請求項１に記載の画像表示装置。
【請求項３】
外部装置から入力された入力画像をスクリーンに投影表示する投影ステップと、
前記入力画像に重畳して表示させる重畳画像を生成する重畳画像描画ステップと、
前記重畳画像の種類を変更するための動作モード変更操作エリアと前記重畳画像の表示位置を携帯端末から制御するための投影表示領域に対応するスクリーンエリアとを含むブラウザ画面を前記携帯端末に送信する送信ステップと、
前記携帯端末によって表示された前記ブラウザ画面の前記動作モード変更操作エリアへの操作によって得られた動作モード情報と前記スクリーンエリアへの操作によって得られた重畳画像の表示位置情報とを受信する受信ステップと、
前記受信ステップで前記携帯端末から受信した前記動作モード情報と重畳画像の表示位置情報とに基づいて、前記重畳画像描画ステップで生成された重畳画像を、前記入力画像に重畳して前記入力画像と前記重畳画像とを含む投影画像を生成し、前記投影画像を投影表示させる制御ステップとを含み、
前記制御ステップは、
前記受信ステップで前記携帯端末から受信した前記動作モード情報を判定し、前記動作モード情報がポインタモードである場合は、受信した前記表示位置情報に基づき、ポインタアイコンを前記入力画像に重畳して前記入力画像と前記重畳画像とを含む第１投影画像を生成し、前記第１投影画像を投影表示させ、かつ前記動作モード情報がスポットモードである場合は、受信した前記表示位置情報から決定された位置を中心とする予め定められた矩形スポットエリアを含むマスク画像を前記入力画像に重畳して前記入力画像と前記マスク画像とを含む第２投影画像を生成し、前記第２投影画像を投影表示させることを特徴とする画像表示方法。
【請求項４】
画像表示装置と、前記画像表示装置で投影される画像に表示される重畳画像を制御可能な携帯端末からなる画像表示システムであって、
前記画像表示装置は、
外部装置から入力された入力画像をスクリーンに投影表示する投影手段と、
前記入力画像に重畳して表示させる重畳画像を生成する重畳画像描画手段と、
前記重畳画像の種類を変更するための動作モード変更操作エリアと前記重畳画像の表示位置を携帯端末から制御するための投影表示領域に対応するスクリーンエリアとを含むブラウザ画面を記憶するブラウザ記憶手段と、
前記ブラウザ記憶手段に記憶されたブラウザ画面を前記携帯端末に送信する第１の送信手段と、
前記携帯端末に表示された前記ブラウザ画面の前記動作モード変更操作エリアへの操作によって得られた動作モード情報と前記スクリーンエリアへの操作によって得られた重畳画像の表示位置情報とを受信する第１の受信手段と、
前記第１の受信手段が前記携帯端末から受信した前記動作モード情報と前記表示位置情報とに基づいて、前記重畳画像描画手段によって生成された重畳画像を前記入力画像に重畳して前記入力画像と前記重畳画像とを含む投影画像を生成し、前記投影画像を投影表示させる制御手段と、
を備え、
前記制御手段は、
前記第１の受信手段により前記携帯端末から受信した前記動作モード情報を判定し、前記動作モード情報がポインタモードである場合は、受信した前記表示位置情報に基づきポインタアイコンを前記入力画像に重畳して前記入力画像と前記重畳画像とを含む第１投影画像を生成し、前記第１投影画像を投影表示させ、かつ前記動作モード情報がスポットモードである場合は、受信した前記表示位置情報から決定された位置を中心とする予め定められた矩形スポットエリアを含むマスク画像を前記入力画像に重畳して前記入力画像と前記マスク画像とを含む第２投影画像を生成し、前記第２投影画像を投影表示させ、
前記携帯端末は、
前記画像表示装置から送信されてくる前記動作モード変更操作エリアと前記スクリーンエリアとを含むブラウザ画面を受信する第２の受信手段と、
前記第２の受信手段で受信した前記ブラウザ画面を表示する表示手段と、
前記表示手段によって表示された前記ブラウザ画面に対する指示によって動作モード変更操作情報と位置座標情報とを検出するタッチ検出手段と、
前記タッチ検出手段によって検出された前記動作モード変更操作情報と前記位置座標情報とを前記画像表示装置に送信する第２の送信手段と、
を備えたことを特徴とする画像表示システム。
【発明の詳細な説明】
【技術分野】
【０００１】
本発明は、プレゼンテーション等において使用され、画像表示装置によって表示される画像に対する重畳画像の操作を行うものであって、特に、携帯端末装置で遠隔操作可能な、画像表示装置、画像表示制御方法、および、画像表示システムに関する。
【背景技術】
【０００２】
従来、プレゼンテーションでは、画像表示装置によって表示された画像の任意の位置を指し示す装置としてレーザーポインタが一般的に使用されている。このレーザーポインタによって照射表示されるポインタによってプレゼンテーターが効率よくプレゼンが行われる。
【０００３】
また、画像表示装置を遠隔操作するための装置としては、リモコンが実用されており、画像表示装置とリモコンの間の通信技術としては、赤外線通信技術や無線通信技術が使用されている。
【０００４】
また、下記特許文献１に記載のように、携帯端末にＷｅｂページからＨＴＭＬデータを入手し、操作画面を生成表示し、ブラウザ画面から操作に応じた要求を画像表示装置に送信するシステムがある。
【先行技術文献】
【特許文献】
【０００５】
【特許文献１】特開２０１３−１３４３８７号公報
【発明の概要】
【発明が解決しようとする課題】
【０００６】
しかしながら、従来から使用されているプレゼンテーションで使用するレーザーポインタの場合、手軽かつ簡単には使用できるもののレーザーポインタそのものを準備しなくてはいけないという課題がある。
【０００７】
また、従来から使用されている画像表示装置を遠隔操作するための装置のリモコンは、画像表示装置を制御するためのものであって、プレゼン用としての使用については何等配慮されていないという課題がある。
【０００８】
さらに、上記特許文献１では、多くのユーザが保有する携帯端末を画像表示装置に対してリモコンとして使用でき、携帯端末の操作内容がそのまま画像表示装置に対する操作として反映されるものの、レーザーポインタを使用してプレゼンテーションを行うには相応しくないシステムであった。
【課題を解決するための手段】
【０００９】
上記の課題を解決するために、本発明は、画像をスクリーンに投影表示する投影手段と、
前記画像に重畳画像を表示させるための重畳画像描画手段と、前記重畳画像の表示位置を携帯端末から制御するためのブラウザ画面を記憶するブラウザ記憶手段と、前記ブラウザ記憶手段に記憶された前記ブラウザ画面を前記携帯端末に送信する送信手段と、前記携帯端末に表示されたブラウザ画面の画面操作によって得られた重畳画像の表示位置情報を受信する受信手段を備え、前記受信手段で受信した重畳画像の表示位置情報に基づいて、前記重畳画像描画手段によって生成された重畳画像を前記投影手段によって投影された画像に重畳して表示を行う制御手段とを備えたことを特徴とする画像表示装置である。
【００１０】
また、本発明は、前記重畳画像描画手段によって生成される重畳画像がポインタアイコンであることを特徴とする。
【００１１】
また、本発明は、前記重畳画像描画手段によって生成される重畳画像がマスク画像であることを特徴とする。
【００１２】
また、本発明は、前記ブラウザ画面は、前記スクリーンに対応するスクリーンエリアを含むことを特徴とする。
【００１３】
また、本発明は、前記送信手段、および、前記受信手段は、前記携帯端末と無線によって通信を行う無線通信手段であることを特徴とする。
【００１４】
また、本発明は、画像をスクリーンに投影表示する投影ステップと、前記画像に重畳画像を表示させるための重畳画像描画ステップと、前記重畳画像の表示位置を携帯端末から制御するためのブラウザ画面を前記携帯端末に送信する送信ステップと、前記携帯端末によって表示されたブラウザ画面の画面操作によって得られた重畳画像の表示位置情報を受信する受信ステップと、前記受信ステップで受信した重畳画像の表示位置情報に基づいて、投影された画像に前記重畳画像描画ステップで生成された重畳画像を表示するステップとを含むことを特徴とする画像表示方法である。
【００１５】
また、本発明は、画像表示装置と、前記画像表示装置で投影される画像に表示される重畳画像を制御可能な携帯端末からなる画像表示システムであって、
前記画像表示装置は、画像をスクリーンに投影表示する投影手段と、前記画像に重畳画像を表示させるための重畳画像描画手段と、前記重畳画像の表示位置を携帯端末から制御するためのブラウザ画面を記憶するブラウザ記憶手段と、前記ブラウザ記憶手段に記憶されたブラウザ画面を前記携帯端末に送信する送信手段と、前記携帯端末に表示されたブラウザ画面の画面操作によって得られた重畳画像の表示位置情報を受信する受信手段を備え、
前記携帯端末は、前記画像表示装置から送信されてくるブラウザ画面を受信する受信手段と、前記受信手段で受信した前記ブラウザ画面を表示する表示手段と、前記表示手段によって表示されたブラウザ画面の指示によって位置座標を出力するタッチ検出手段と、前記タッチパネルによる位置座標情報を前記画像表示装置に送信する送信手段とを備えたことを特徴とする画像表示システムである。
【発明の効果】
【００１６】
本発明によれば、プレゼンテーション又は会議等において、画像表示装置でスクリーンに表示される画像に対する重畳画像を発表者が携帯端末によって操作することで効果的な発表を可能とした効果を奏する。
【図面の簡単な説明】
【００１７】
【図１】本発明の第1の実施の形態に係る画像表示システムのシステム構成図である。
【図２】本発明の第1の実施の形態に係る画像表示装置２の構成を示すブロック図である。
【図３】本発明の第1の実施の形態に係る携帯端末５の構成を示すブロック図である。
【図４】本発明の第1の実施の形態に係る画像表示システム１の動作を示す概念図である。
【図５】本発明の第1の実施の形態に係る画像表示システム１の動作を示すフローチャートである。
【図６】本発明の第1の実施の形態に係る携帯端末５のブラウザ画面９の具体例を示す図
【図７】本発明の第1の実施の形態に係る携帯端末５に対するタッチ状態を示す図である。
【図８】本発明の第1の実施の形態に係る投影画像６に対するポインタアイコン１１と各々の座標の関係を示す図である
【図９】本発明の第２の実施の形態に係る画像表示装置２でスポット表示を行った時の投影画像６での表示状態を示す図である。
【発明を実施するための形態】
【００１８】
以下の実施例では、同一の部品には同一の参照番号を付してある。それらの名称及び機能も同一である。したがって、それらについての詳細な説明は繰返さない。
【００１９】
図１を参照して、本発明の第1の実施の形態に係る画像表示システム1は、画像表示装置２、スクリーン３、無線ルータ４、携帯端末５を備えて構成される。画像表示装置２は、例えば、画像をスクリーン３に投影するプロジェクターであり、スクリーン３に表示画像６が投影される。携帯端末５は、例えば、５インチから１０インチ程度の表示部８を有するタブレット装置やスマートフォンである。無線ルータ４は、画像表示装置２にケーブル７で接続されると共に、ＴＣＰ／ＩＰ等の所定の通信プロトコルにしたがって、無線通信可能な機器を図示しないネットワーク（ＬＡＮ及びインターネットを含む）に接続するための装置である。携帯端末５は、無線ルータ４を経由してネットワークを経由して画像表示装置２にアクセスすることができるとともに、携帯端末５の表示部８に表示されるブラウザ画面９を操作することで後述する重畳画像としてのポインタアイコンをスクリーン３の投影画像６に表示することを可能としている。尚、この実施例においては、無線ルータ４を個別に設けたが、画像表示装置２に無線通信機能を備えることでも実現できる。
【００２０】
図２は、画像表示装置２の構成を示すブロック図であり、画像表示装置２全体を制御するメイン制御部（制御手段、以下、ＣＰＵという）２０１と、画像表示装置２を制御するためのプログラム等を記憶するＲＯＭ（ＲｅａｄＯｎｌｙ Ｍｅｍｏｒｙ）２０２と、液晶表示装置等を含み投影画像を生成する画面表示部２０３と、画面表示部２０３で生成した画像をスクリーン３に投影画像６として拡大投影するための投影部２０４（投影手段）と、図示しないパーソナルコンピュータ等の外部装置の画像を入力するための入力部２０５と、無線ルータ４と接続するためのネットワーク端子２０６を備えている。
【００２１】
画面表示部２０３は、重畳画像描画部２０７（重畳画像描画手段）を有しており、携帯端末５から送信されてくる操作位置情報に基づいて重畳画像としてのポインタアイコンが投影部を介して投影される。尚、ポインタアイコンの表示動作の詳細は後述する。
【００２２】
投影部２０４はスクリーン３に投影する表示画像を拡大表示するものであって、通常は液晶パネルと複数枚のレンズと光源で構成されている。
【００２３】
Ｗｅｂサーバ部２０８（ブラウザ記憶手段）は、無線ルータ４を経由して接続される携帯端末５との接続処理を行う処理部であって、携帯端末５から送信されるデータを受信するためのデータ受信部と２０９（受信手段）と、携帯端末５にデータを送信するためのデータ送信部２１０（送信手段）と、携帯端末５に送信するデータを生成するためのＷｅｂデータ記憶部２１１を備える。
【００２４】
Ｗｅｂデータ記憶部２１１は、携帯端末５に送信するための操作画面を生成するものであって、ウェブ上の文書を記述するための言語であるＨＴＭＬ（Ｈｙｐｅｒ  Ｔｅｘｔ  Ｍａｒｋｕｐ  Ｌａｎｇｕａｇｅ）２１２と、ＨＴＭＬ２１２において動的なウェブサイトを構築するためのプログラム言語であるＪａｖａＳｃｒｉｐｔ（登録商標）２１３と、操作画面で利用するためのアイコンを記憶するアイコン画像記憶部２１４から構成される。
【００２５】
図３は、携帯端末５の構成を示すブロック図であり、携帯端末５２全体を制御するメイン制御部（以下、携帯ＣＰＵという）５０１と、プログラム等を記憶するためのＲＯＭ（ＲｅａｄＯｎｌｙ Ｍｅｍｏｒｙ）５０２と、液晶表示装置等からなるディスプレイ５０３（表示手段）と、ディスプレイ５０３に画像データを表示させるための制御を行う画面表示制御部５０４と、ディスプレイに一体的に構成されたタッチパネル５０５と、タッチパネル５０５に指等でタッチした時のタッチ位置座標を検出するためのタッチ検出部５０６と。画像表示装置２から無線ルータ４を経由して送信されてくるデータを受信するためのデータ受信部５０７（受信手段）と、画像表示装置２にデータを送信するためのデータ送信部５０８（送信手段）とを備え、データ受信部５０７で受信したデータを格納するＷｅｂデータ格納部５０９から構成される。
【００２６】
図４は、画像表示システム１の動作を示す概念図であり、図１と同じ構成において、携帯端末５の表示部８に表示されるブラウザ画面９のスクリーンエリア９−１に指１０で触れることで触れた座標位置を検出し、その座標位置に対応するスクリーン３の投影画像６に重畳画像としてのポインタアイコン１１が表示されることを示している。
【００２７】
以下、図５乃至図８に基づいて本発明の画像表示システム1の動作について説明する。
【００２８】
図５は、画像表示システム１の動作を示すフローチャートであり、ステップＳ１０１以降が画像表示装置２の動作を示し、ステップＳ２０１以降が端末装置５の動作を示している。
【００２９】
まず、ステップＳ１０１で画像表示装置２のＷｅｂサーバ部２０８の初期化が行われる。この時、画像表示装置２は既に電源が投入されており、入力部２０５から外部装置の画像が入力され、投影部２０４からスクリーン３に投影画像６が映し出されているものとする。  
【００３０】
次に、ステップＳ１０２において、携帯端末５からＨＴＭＬデータの要求の有無を検出するが、携帯端末５からのＨＴＭＬデータの要求を受け付けるまで待機状態となる。
【００３１】
ステップＳ２０１では、携帯端末５側の操作によって画像表示装置２に接続する。尚、接続の処理については、周知の技術によって接続を行うものであるため説明を省略する。
【００３２】
画像表示装置２のステップＳ１０２で端末装置５からのＨＴＭＬデータの要求を受けた場合、ステップＳ１０３に進み、Ｗｅｂデータ記憶部２１１から読みだされたＨＴＭLデータが携帯端末５に送信される。
【００３３】
携帯端末５のステップＳ２０２で、画像表示装置２からＨＴＭＬデータを受信すると、ステップＳ２０３に進み、表示部８にブラウザ画面９の描画を行いステップＳ２０４に進む。
【００３４】
図６は、携帯端末５のブラウザ画面９の具体例を示す図であり、スクリーンエリア９−１、ポインタキー９−２、スポットキー９−３、エフェクトキー９−４、マウスキー９−５、ページアップキー９−６、および、ページダウンキー９−７等が配置される。尚、その他のキーや表示については、本発明と直接関係しないため説明を省略する。
【００３５】
ステップＳ２０４では、ブラウザ画面９に対する指等によるタッチ操作検出を行い、タッチ検出がない場合は待機状態となり、タッチ検出が行われた場合ステップＳ２０５に進む。
【００３６】
ステップＳ２０５では、タッチ操作が動作モードの変更に関するものかどうかが判断される。具体的には、ポインタキー９−２、スポットキー９−３、エフェクトキー９−４、マウスキー９−５、ページアップキー９−６、および、ページダウンキー９−７がタッチされた場合は動作モードであると判断してステップＳ２０６に進み、タッチされたキーの情報が画像表示装置２に送信され、動作モード以外の場合はステップＳ２０７に進む。
【００３７】
ステップＳ１０４では、携帯端末５からの通信を待つ待機処理であり、携帯端末５から送信されてきた信号を受信した場合ステップＳ１０５に進み、動作モード信号であるか否かが判断され、受信信号が動作モードである場合はステップＳ１０６に進み、それ以外の場合はステップＳ１０７に進む。
【００３８】
ステップＳ１０６では受信した動作モードに応じた処理が行われる。例えば、ページアップ動作であった場合、映し出されている投影画像のページを上方向にスクロールする処理を行い、ステップＳ１０４に戻る。
【００３９】
ステップＳ２０７では、スクリーンエリア９−１に対するタッチ操作か否かが判断され、タッチスクリーンエリア９−１以外のタッチであれば、ステップＳ２０８に進み、その他の処理が行われ、タッチスクリーンエリア９−１のタッチ操作であった場合、ステップＳ２０９に進む。
【００４０】
ステップＳ２０９では、タッチされたタッチ座標を取得する。具体的には図７に示すように、携帯端末５に対するタッチ状態を示す図のようにスクリーンエリア９−１の（ｘｔ，ｙｔ）がタッチされた時の座標値を取得する。本実施例におけるスクリーンエリア９−１は、Ｗｔ（幅）８００、Ｈｔ（高さ）６００のサイズとし、タッチ操作によって（ｘｔ，ｙｔ）がタッチされ、この時の座標値として（ｘｔ，ｙｔ）＝（４００，３００）を取得する。
【００４１】
次に、ステップＳ２１０では、ステップＳ２０９で取得したタッチ座標を送信座標データに変換する処理を行う。具体的には、Ｗｔ（幅）、および、Ｈｔ（高さ）を各々２５６分割した時の値を送信座標データとして算出する。
【００４２】
この実施例においては、タッチ座標が（ｘｔ，ｙｔ）＝（４００，３００）であったので、送信座標データ（ｘｔ１，ｙｔ１）＝（２５６×（ｘｔ／８００），２５６×（ｙｔ／６００））の演算式によって求められる。尚、（ｘｔ，ｙｔ）＝（４００，３００）の場合、（ｘｔ１，ｙｔ１）＝（１２８，１２８）となる。
【００４３】
ステップＳ２１１では、送信座標データ（ｘｔ１，ｙｔ１）として（１２８，１２８）が画像表示装置２に送信される。
【００４４】
ステップＳ１０４で携帯端末から受信した場合、ステップＳ１０５に進み、ステップＳ１０５では信号は動作モードでないためステップＳ１０７に進む。ステップＳ１０７では、受信した信号が座標データでな場合はステップＳ１０８に進み、その他の処理を行い、座標データである場合は、ステップＳ１０９に進む。
【００４５】
ステップＳ１０９では、画像表示装置２の動作モードをチェックし、ポインタモードである場合はステップＳ１１０に進み、スポットモードである場合はステップＳ１２０に進む。尚、この場合の実施例においては、ポインタモードであることを前提に説明し、スポットモードについては後述する。
【００４６】
ステップＳ１１０ではポインタモードであるので、受信した座標データに基づいて投影画像に表示する重畳画像としてのポインタアイコン１１の表示位置を計算する。
【００４７】
本実施例においては、投影画像６サイズは、Ｗｐ（幅）１０２４、Ｈｐ（高さ）７６８のサイズであって、受信した座標データが（ｘｔ1，ｙｔ1）に基づき、ポインタアイコンの表示位置として（ｘｐ，ｙｐ）を求める。（ｘｐ，ｙｐ）は、（ｘｔ１×（１０２４／２５６），ｙｔ１×（７６８／２５６））の演算式によって求められる。本実施例の場合、受信した座標データ（ｘｔ１，ｙｔ１）として（１２８，１２８）であるので、（ｘｐ，ｙｐ）は（５１４，３８６）となり、ステップＳ１１１に進む。
【００４８】
ステップＳ１１１では、投影画像６に既に重畳画像としてのポインタアイコン１１が表示されているかどうかが判断され、ポインタアイコン１１が表示されていない場合はステップＳ１１２に進み、ポインタアイコン１１が既に表示されている場合はステップＳ１１３に進む。
【００４９】
ステップＳ１１２では、投影画像６に対して重畳画像としてのポインタアイコン１１を描画する処理を行い、処理の後、ステップＳ１０４に戻る。具体的には、ＯＳＤ描画部にポインタアイコン１１が記憶されており、既に表示されている投影画像に演算によって求められたポインタ表示位置（ｘｐ，ｙｐ）にポインタアイコン１１が描画表示される。尚、図８は、投影画像６に対する重畳画像としてのポインタアイコン１１と各々の座標の関係を示す図である。
【００５０】
ステップＳ１１３では、既に描画されているポインタアイコン１１に対する更新座標データに基づいて、表示位置を更新処理（移動）し、ステップＳ１０４に戻る。
【００５１】
以上のように、本来は画像表示装置２のリモコンではない携帯端末５に対して、画像表示装置２からリモコンとして使用可能なブラウザ画面が送信され、ユーザが携帯端末５に表示されたブラウザ画面のスクリーンエリア９−１を操作することで、画像表示装置２による投影画像６に重畳画像としてのポインタアイコン１１を描画表示し、かつ、移動制御できるようにしたためユーザのプレゼンに対する利便性を大きく高めることができる。
【００５２】
図９は、本発明の第２の実施の形態に係る画像表示システム1での画像表示装置２でスポット表示を行った時の投影画像６での表示状態を示す図である。この図において、斜線部２１は投影画像６に対して重畳画像としてのマスク画像表示２１を行っており、スポットエリア２２の範囲のみ入力画像が表示されることを意味する。尚、第１の実施の形態との動作における相違点は、携帯端末５でスポットキー９−３が押下され、スポット機能を動作させること、および、画像表示装置２ではスポット描画を行う処理であり、図５のステップＳ１２０以降に特徴を有する。
【００５３】
図５のステップＳ１２０ではスポット位置の中心座標の計算が行われるが、位置計算としてはステップＳ１１１と同じ演算によって求められ、ステップＳ１２１に進む。
【００５４】
ステップＳ１２１では、投影画像６に既に重畳画像としてのマスク画像表示２１が行われているかどうか、即ち、スポット描画が行われているかどうかが判断され、スポット描画が行われていない場合はステップＳ１２２に進み、スポット描画が既に行われている場合はステップＳ１２３に進む。
【００５５】
ステップＳ１２２では、ステップＳ１２０で算出された座標値（ｘｐ，ｙｐ）を中心とする予め定められた矩形エリアのサイズ以外の投影画像領域に対応する重畳画像としてのマスク画像表示のためのデータが生成され、投影画像６に対して重畳表示が行われる。
【００５６】
ステップＳ１２３では、更新座標データに基づいて、マスク画像表示のデータを更新してスポット描画位置の更新処理を行いし、ステップＳ１０４に戻る。この時、見掛け上はスポットエリアが移動し、スポットエリアに表示された投影画像が読み取り可能となる。
【符号の説明】
【００５７】
１  画像表示システム
２  画像表示装置
３  スクリーン
４  無線ルータ
５  携帯端末
６  投影画像
７  ケーブル
８  表示部
９  ブラウザ画面
９−１  スクリーンエリア
１１  ポインタアイコン
２０１  メイン制御部
２０２  ＲＯＭ（Ｒｅａｄ Ｏｎｌｙ Ｍｅｍｏｒｙ）
２０３  画面表示部
２０４  投影部
２０５  入力部
２０６  ネットワーク端子
２０７  重畳画像描画部
２０８  Ｗｅｂサーバ部
２０９  データ受信部
２１０  データ送信部
２１１  Ｗｅｂデータ記憶部
５０１  メイン制御部
５０２  ＲＯＭ（Ｒｅａｄ Ｏｎｌｙ Ｍｅｍｏｒｙ）
５０３  ディスプレイ
５０４  画面表示制御部
５０５  タッチパネル
５０６  タッチ検出部
５０７  データ受信部
５０８  データ送信部
５０９  Ｗｅｂデータ格納部
【図１】
0006721951.tif 000002
【図２】
0006721951.tif 000003
【図３】
0006721951.tif 000004
【図４】
0006721951.tif 000005
【図５】
0006721951.tif 000006
【図６】
0006721951.tif 000007
【図７】
0006721951.tif 000008
【図８】
0006721951.tif 000009
【図９】
0006721951.tif 000010